(57)【要約】      （修正有）【課題】不使用時の形態を薄型化でき、直射日光や高気温によるダンパー機能の低下もなく、高級感や使用感にも優れ耐久性も高い屋外設置用の座体自動起立椅子を提供する。【解決手段】シャフト部１１を備えた座体１と、屋外に据付けする脚部フレーム２と、前記シャフト部を座体の両側で支承するベアリング部と、前記脚部フレーム上のベアリング部の外側に並設されたロータリダンパー部と、前記シャフト部を挿通した状態で前記ベアリング部とダンパー部の間に配設され、一端がシャフト部の周面に固定されたトーションスプリング５と、前記ベアリング部とダンパー部の間に横架され、前記スプリングの自由端部に当接して当該スプリングを回転しないように制止せしめる制止バー部材６と、前記ベアリング部からロータリダンパー部までを気密・断熱状態で覆うケーシング部７とを含んで構成する。【選択図】図１
0003146842.tif 000002
【実用新案登録請求の範囲】
【請求項１】
シート面の後方下部にシャフト部11を備えた座体１と；この座体１のシート面を着座レベルに支持可能であって、屋外に据え付けする脚部フレーム２と；この脚部フレーム２上に設けられ、前記シャフト部11を座体１の両側で支承する左右一対のベアリング部３・３と；前記脚部フレーム２上のベアリング部３の外側に並設されて、前記シャフト部11の両端が接続されたロータリダンパー部４・４と；前記シャフト部11を挿通した状態で前記ベアリング部３とロータリダンパー部４の間に配設され、一端がシャフト部11の周面部に固定されたトーションスプリング５と；前記ベアリング部３とロータリダンパー部４の間に横架され、前記トーションスプリング５の他端側の自由端部52に当接して当該スプリング５をシャフト部11と共に回転しないように制止せしめる制止バー部材６と；前記脚部フレーム２上に設けられ、前記ベアリング部３からロータリダンパー部４までを気密・断熱状態で覆うケーシング部７とを含んで構成したことを特徴とする屋外設置用の座体自動起立椅子。
【請求項２】
座体１に比重が大きく耐食性に優れた物性を有するステンレス鋼板が使用されていることを特徴とする請求項１記載の屋外設置用の座体自動起立椅子。
【請求項３】
ベアリング部３とロータリダンパー部４の支持壁部31・41を、制止バー部材６の固定部として兼用したことを特徴とする請求項１または２に記載の屋外設置用の座体自動起立椅子。
【請求項４】
トーションスプリング５の自由端部52をフック状に形成して、このフック内に挿入されるようにガイド部材61を制止バー部材６に取り付けたことを特徴とする請求項１〜３の何れか一つに記載の屋外設置用の座体自動起立椅子。
【考案の詳細な説明】
【技術分野】
【０００１】
本考案は、座体自動起立椅子の改良、更に詳しくは、不使用時の形態をより薄型化することができ、直射日光や高気温によるダンパー機能の低下を招くこともなく、しかも、高級感や使用感にも優れ耐久性も非常に高い屋外設置用の座体自動起立椅子に関するものである。
【背景技術】
【０００２】
周知のとおり、備え付けの固定椅子には、スペースを効率的に利用するために不使用時に座体を起こせるようにした構造のものがよく知られており、このような固定椅子は、劇場などの屋内だけでなく競技場の観客席や公園や歩道の休憩椅子として屋外にも数多く設置されている。
【０００３】
また、上記のような座体起立型の椅子としては、スプリングなどの付勢機構を座体の回転軸に付設することにより、着座者が立ち上がった後、座体が着座状態から上方に回動して自動的に跳ね起き状態となるようにしたものが一般的である。
【０００４】
そして、そのような座体の自動起立に関する技術としては、＜特許文献１＞にあるような、付勢機構により急激に回動して跳ね上がった座体が背凭れや回動ストッパ等と激しく衝突して騒音や故障を引き起こしたり、立ち上がった使用者の臀部に回動する座体がぶつかって不快な思いをさせたりすることがないように、ダンパー機構を一緒に付設して座体の起立動作がゆっくりと行われるようにした工夫が従来において提案されている。
【０００５】
ところが、上記＜文献１＞の従来技術におけるダンパー機構は、座体の回転軸であるカムシャフトと、そのカム部を押し当てるボールプランジャや板バネ等の弾性部材とから構成されて、カムシャフトの回転により弾性部材から反発力を得てそれを制動力とする構造であったが、この構造では繰り返し使用すると弾性部材が摩耗や永久変形を起こして期待する制動力が早期に失われ易く、また、変形した弾性部材が周辺部材と接触して動作の度に擦れ音が発生することで品のない安物の印象を与えることもあった。
【０００６】
一方、従来においては、＜特許文献２＞にあるように、ダンパー機構として粘性流体の流動抵抗を制動力としたものを使用することも提案されているが、このようなダンパー機構を採用すると、屋外に設置した場合に、直射日光や高気温で粘性流体が熱を帯びて粘度が低下することで、ダンパーの機能が適当に発揮されなくなる虞れがあった。
【０００７】
また、座体を起立させるための付勢機構に関しても、＜文献２＞にあるような圧縮スプリングを用いると座体の回転軸の回転運動を直線運動に変換するためのリンク機構が必要となって、構造が複雑化して故障し易くなる欠点があった。
【０００８】
そこで、＜特許文献３＞にあるようにトーションスプリングを用いた場合でも、高トルク用の太いスプリング材を座体内部に取り付けると、座体自体が分厚くなって不使用時に座体を起立させた際でも椅子が充分に薄型化されず、設置スペースを有効に活用することができなかった。
【特許文献１】特開２００２−３５５１４４号公報（第１−５頁、第１−７図）
【特許文献２】特開平５−１７６８２０号公報（第１−９頁、第１−６図）
【特許文献３】特開昭４６−５００９号公報（第１−９頁、第１−２図）
【考案の開示】
【考案が解決しようとする課題】
【０００９】
本考案は、上記の如き問題に鑑みて為されたものであり、その目的とするところは、不使用時の形態を薄型化することができ、直射日光や高気温によるダンパー機能の低下もなく、しかも、高級感や使用感にも優れ耐久性も非常に高い屋外設置用の座体自動起立椅子を提供することにある。
【課題を解決するための手段】
【００１０】
本考案者が上記課題を解決するために採用した手段を添付図面を参照して説明すれば次のとおりである。
【００１１】
即ち、本考案は、シート面の後方下部にシャフト部11を備えた座体１と；この座体１のシート面を着座レベルに支持可能であって、屋外に据付けする脚部フレーム２と；この脚部フレーム２上に設けられ、前記シャフト部11を座体１の両側で支承する左右一対のベアリング部３・３と；前記脚部フレーム２上のベアリング部３の外側に並設されて、前記シャフト部11の両端が接続されたロータリダンパー部４・４と；前記シャフト部11を挿通した状態で前記ベアリング部３とロータリダンパー部４の間に配設され、一端がシャフト部11の周面部に固定されたトーションスプリング５と；前記ベアリング部３とロータリダンパー部４の間に横架され、前記トーションスプリング５の他端側の自由端部52に当接して当該スプリング５をシャフト部11と共に回転しないように制止せしめる制止バー部材６と；前記脚部フレーム２上に設けられ、前記ベアリング部３からロータリダンパー部４までを気密・断熱状態で覆うケーシング部７とを含んで構成した点に特徴がある。
【００１２】
また、本考案においては、上記課題を解決するために、必要に応じて上記手段に加え、座体１に比重が大きく耐食性に優れた物性を有するステンレス鋼板を使用するという技術的手段を採用することができる。
【００１３】
また、本考案においては、上記課題を解決するために、必要に応じて上記手段に加え、ベアリング部３とロータリダンパー部４の支持壁部31・41を制止バー部材６の固定部として兼用するという技術的手段を採用することができる。
【００１４】
また、本考案においては、上記課題を解決するために、必要に応じて上記手段に加え、トーションスプリング５の自由端部52をフック状に形成して、このフック内に挿入されるようにガイド部材61を制止バー部材６に取り付けるという技術的手段を採用することができる。
【考案の効果】
【００１５】
本考案においては、座体の起立動作をゆっくりとした動きに制動するダンパー機構に粘性流体を利用したロータリダンパーを採用したことにより、起立した座体が回動ストッパや使用者の臀部にぶつかる不都合を解消できるだけでなく、繰り返し使用しても制動力が低下したり擦れ音などの雑音が発生したりすることがないため、長期間使用しても静かで滑らかな高級感のある座体動作を維持することができる。
【００１６】
しかも、ロータリダンパーに関しては、ケーシングにより気密および断熱状態で覆っているため、屋外の直射日光が当たる場所や高気温下となる場所に椅子を設置した場合であっても、ダンパー内の粘性流体が熱を帯びることはなく、熱的影響によって制動機能が損なわれる心配はない。
【００１７】
また本考案では、座体の自動起立の動力となる付勢機構にトーションスプリングを採用したことにより、圧縮スプリングのように運動方向を変換するリンク機構等も不要となるため、非常に簡単な耐久性の高い構造とすることができ、さらにトーションスプリングを座体の外側に配設したことで座体の厚みをできるだけ減らして不使用時の椅子の形態をより薄型化することもできる。
【００１８】
そして、このトーションスプリングに関しても、ロータリダンパーと一緒に気密で断熱性のあるケーシングで覆っているため、スプリング材が錆びず、また、着座者の手や服をスプリング材に直接触れないように保護することで安全性の向上も図れる。
【００１９】
したがって、本考案により、設置スペースをより有効に活用できる上に、高級感のある動き長期間持続でき、かつ、屋外設置の熱的影響による機能低下もない座体自動起立椅子を提供することができることから、本考案の実用的利用価値は頗る高い。
【考案を実施するための最良の形態】
【００２０】
『実施例１』
本考案の実施例１は、図１から図５に示される。同図において、符号１で指示するものは、座体であり、符号２で指示するものは、脚部フレームである。符号３で指示するものは、ベアリング部であり、符号４で指示するものは、ロータリダンパー部である。符号５で指示するものは、トーションスプリングであり、符号６で指示するものは、制止バー部材である。符号７で指示するものは、ケーシング部である。
【００２１】
次に、実施例１の構成を以下から説明する。実施例１では、座体１のシート面の後方下部にシャフト部11を設け、このシャフト部11の座体１の両側部位を、屋外に設置する脚部フレーム２上の左右一対のベアリング部３・３で支承して座体１を約90°回動できるように装着している（図１、図２参照）。
【００２２】
また、上記座体１には、比重が大きく重量感があって高級な印象を受けることに加え、耐食性にも優れたステンレス鋼板を使用すると共に、座体１のシート面には蒸れを防ぐための通気孔12・12…を設けている（図３参照）。
【００２３】
他方また、脚部フレーム２についても、耐久性に優れたステンレス鋼製の角パイプ材から作製し、アンカー部材で地面に固定するための定着部21・21を脚座部に備えた構造としている。
【００２４】
そして、脚部フレーム２上のベアリング部３・３の外側にはロータリダンパー部４を並設して、このロータリダンパー部４・４に対して座体１のシャフト部11の両端部を接続している。
【００２５】
なお実施例１では、ベアリング部３とロータリダンパー部４を、脚部フレーム２に固定したコ字型フレーム材の支持壁部31・41にベアリングとダンパーをそれぞれ取り付けて構成しており、前記支持壁部31・41に関しては別部材で独立して設けることもできる。
【００２６】
そして更に、上記並設したベアリング部３とロータリダンパー部４の間には、座体１のシャフト部11を挿通した状態でトーションスプリング５を配設し、このトーションスプリング５の一端である固定端部51をシャフト部11の周面部にボルト材で固定している。
【００２７】
一方、トーションスプリング５の他端側の自由端部52は、ベアリング部３とロータリダンパー部４の支持壁部31・41に固定した制止バー部材６に当接させて、トーションスプリング５がシャフト部11と共に回転しないように制止させている。
【００２８】
なお実施例１では、トーションスプリング５の自由端部52をフック状に形成して、このフック内に挿入されるようにガイド部材61を制止バー部材６に取り付けたことで、トーションスプリング５の軸方向の伸びを抑止することができる。
【００２９】
そして最後に、上記ベアリング部３からロータリダンパー部４までの部位を、脚部フレーム２上に設けたケーシング部７で覆って、当該ケーシング内に気密および断熱の状態で各部材を収容している（図４参照）。
【００３０】
なお、このケーシング部７については、蓋部71を嵌合突起72・72に嵌め合わせて取り付けることで開閉可能な構造となっているが、蓋部71の開閉構造としては、回動機構やスライド機構などを採用することもできる。
【００３１】
上記のように構成したことにより、図５(a)に示すように座体１を倒せば脚部フレーム２に設けた回動ストッパ22・22に倒伏用衝止部13が当接する状態で着座することができ、また、着座者が立ち上がった後は、図５(b)に示すように捻られたトーションスプリング５の付勢力で座体１が上向きに回動して、最終的に起立用衝止部13’が回動ストッパ22・22に当接する図５(c)の状態まで座体１を自動的にゆっくりと起立させることが可能となる。
【００３２】
しかも、ロータリダンパー部４は繰り返し使用しても制動力が低下したり擦れ音などの雑音が発生したりすることがないため、静かで高級感のある動きを長期にわたって維持することができる。
【００３３】
また、ロータリダンパー部４はケーシング部７で覆っているため、屋外の直射日光が当たる場所や高気温下となる場所に設置した場合でも、ダンパーの制動力が低下することはない。
【００３４】
また、座体１を起立させる付勢機構を、トーションスプリング５・５を座体１の外側に配設して構成しているため、高トルクの太いスプリング材を使用しても不使用時の椅子の形態が嵩張ることはない。
【００３５】
さらに、トーションスプリング５・５を座体１の両側に対称的に配設したことで、座体１の押し下げ時にベアリング部３・３に偏った負荷がかかってシャフト部11の歪みや摩耗の原因になることもないため、耐久性の向上も図れる。
【００３６】
また、トーションスプリング５に関しては、ロータリダンパー部４と一緒に断熱ケーシング部７で覆っているため、錆びなどの経年劣化が生じ難く、トーションスプリング５や座体１のシャフト部11に直接手や服が触れる心配もない。
【００３７】
そしてまた、制止バー部材６の固定部に関しても、ベアリング部３とロータリダンパー部４の支持壁部31・41を兼用しているため、余計な支持部材は不要で付勢機構を一層簡略化することができる。
【００３８】
本考案は、概ね上記のように構成されるが、本考案は図示の実施形態に限定されるものでは決してなく、「実用新案登録請求の範囲」の記載内において種々の変更が可能であって、例えば、座体１の材料としては、比重が大きく耐食性に優れたチタン合金などの他の金属材料などを使用することもでき、椅子の形態を背凭れ付きとすることも勿論可能である。
【００３９】
また、脚部フレーム２も地面に設置する形態でなくともＬ字型の脚部を用いた壁部設置型のものを使用することもでき、何れのものも本考案の技術的範囲に属する。
【産業上の利用可能性】
【００４０】
近年では、高齢者や障害者が利用し易くなるように、公園や屋外施設に休憩用の椅子を設置するケースは非常に多く、その際設置する椅子には、強風などによる飛来物や心ない使用者による乱暴行為で簡単に破壊されてしまわないように、屋内の椅子に比べて頑丈な構造となっていることが求められる。また、高級な屋外施設や環境整備が行き届いた公園などに設置される場合には、周囲と違和感が生じないだけの高級感が重要となり、比較的狭い歩道に設置される場合には、不使用時の形態がより薄型となってスペースを有効活用できることが望ましい。
【００４１】
そのような中で、本考案の屋外設置用の座体自動起立椅子は、頑丈な構造で高級感のある機能性を有し、不使用時の形態の薄型化も図れ屋外環境の熱的影響によって機能が低下することもない有用な技術であることから、市場における需要は大きく、その産業上の利用価値は非常に高い。
【図面の簡単な説明】
【００４２】
【図１】本考案の実施例１における座体自動起立椅子を表わす全体斜視図である。
【図２】本考案の実施例１における断熱ケーシング内の構造を表わす部分断面図である。
【図３】本考案の実施例１における座体自動起立椅子を表わす全体斜視図である。
【図４】本考案の実施例１における断熱ケーシングの開閉構造を表わす分解斜視図である。
【図５】本考案の実施例１における座体自動起立椅子の使用状態を表わす状態説明図である。
【符号の説明】
【００４３】
１  座体
11  シャフト部
12  通気孔
13  衝止部
２  脚部フレーム
21  定着部
22  回動ストッパ
３  ベアリング部
31  支持壁部
４  ロータリダンパー部
41  支持壁部
５  トーションスプリング
51  固定端部
52  自由端部
６  制止バー部材
61  ガイド部材
７  ケーシング部
71  蓋部
72  嵌合突起
【図１】
0003146842.tif 000003
【図２】
0003146842.tif 000004
【図３】
0003146842.tif 000005
【図４】
0003146842.tif 000006
【図５】
0003146842.tif 000007